(57)【要約】【課題】役物のより多くの部品を流用可能にする。【解決手段】遊技盤１７には、役物として、通常入賞口２２を備えた入賞装置４０，始動入賞口２２を備えた入賞装置４２、液晶ディスプレイ２４が設けられている。役物は背面側から遊技盤１７に取り付けられる。また、遊技盤１７の前面には、パチンコ機の機種に応じたデザインの画像がプリントされたデザインシート１５が取り付けられている。デザインシート１５は、平面部１１２、凸部１２０、１２２、１２４を備えており、遊技盤１７に取り付けられると、平面部１１２が遊技盤１７の盤面を覆い、凸部１２０が入賞装置４０を覆い、凸部１２２が入賞装置４２を覆い、凸部１２４が液晶ディスプレイ２４の側部を覆う。役物をデザインシート１５により覆うことで、役物にペイントを施す必要がない。このため、遊技盤１７から取り外した役物をそのまま他機種に流用できる。【選択図】図４
2009034376.tif 000002
【特許請求の範囲】
【請求項１】
遊技球が打ち出される遊技盤と、前記遊技盤の盤面に配置された遊技釘と、前記盤面から突出するように形成された役物とを備えたパチンコ機において、
パチンコ機の機種に応じたデザインの画像がプリントされるとともに、前記盤面に対応する平面部と、前記役物に対応する凸部とを有し、前記盤面及び前記役物を覆うように前記遊技盤の前面に配置されるデザインシートを備えたことを特徴とするパチンコ機。
【請求項２】
前記役物は、遊技球を受け入れる受け入れ口を備えた入賞装置であって、
前記凸部には、前記受け入れ口に対応する位置に開口が形成されていることを特徴とする請求項１記載のパチンコ機。
【請求項３】
前記デザインシートの周縁部を、前記デザインシートの前面側から押さえつける固定枠を設け、この固定枠を前記遊技盤に取り付けることによって、前記デザインシートを固定することを特徴とする請求項１または２記載のパチンコ機。
【請求項４】
前記遊技釘は、前記デザインシートを貫通するように、前記デザインシートの前面側から前記遊技盤に打ち込まれるとともに、前記遊技盤に打ち込まれた際に、前記デザインシートを前面側から押さえる押さえ部を備えていることを特徴とする請求項１〜３いずれか記載のパチンコ機。
【請求項５】
前記デザインシートは、前記遊技盤に形成された被係合部と係合して位置決めを行うための係合部を備えていることを特徴とする請求項１〜４いずれか記載のパチンコ機。
【発明の詳細な説明】
【技術分野】
【０００１】
本発明は、パチンコ店などの遊技場に設置されるパチンコ機に関するものである。
【背景技術】
【０００２】
パチンコ機は、遊技球が打ち出される遊技盤を備え、この遊技盤の盤面には、遊技球の動きに変化を与えるための遊技釘や、各種役物が配置されている。役物とは、遊技盤面に設けられた遊技釘以外の構造物を表しており、具体的には、遊技球が入ることで当たりハズレ抽選が行われる始動入賞口を備えた入賞装置や、当たりハズレ抽選の結果を表示したり各種演出を行うための液晶ディスプレイなどが挙げられる。
【０００３】
従来、遊技盤を製造する際は、先ず、遊技盤の盤面全体を覆うように、パチンコ機の機種に応じたデザインの画像がプリントされたセルシートを貼り付ける。そして、この後、セルシートを貫通するように遊技釘を打ち込むとともに、パチンコ機の機種に応じた色や柄のペイントを施したり装飾品を取り付けた役物を、セルシート上に配置していた（下記特許文献１参照）。
【特許文献１】特開２００５−１９２６４９号公報
【発明の開示】
【発明が解決しようとする課題】
【０００４】
しかしながら、従来は、役物の外装部分にペイントを施したり装飾品を取り付けているため、この役物が特定の機種専用品となってしまい、役物内部の一部の部品を除いて、異なる機種に流用できないといった問題があった。また、従来は、役物内部の部品を流用する際にも、役物を分解して流用する部品を取り出す必要があり手間が掛かってしまうといった問題があった。
【０００５】
本発明は、上記背景を鑑みてなされたものであり、役物のより多くの部品をより簡単に異なる機種に流用できるパチンコ機を提供することを目的としている。
【課題を解決するための手段】
【０００６】
上記目的を達成するために本発明のパチンコ機は、遊技球が打ち出される遊技盤と、前記遊技盤の盤面に配置された遊技釘と、前記盤面から突出するように形成された役物とを備えたパチンコ機において、パチンコ機の機種に応じたデザインの画像がプリントされるとともに、前記盤面に対応する平面部と、前記役物に対応する凸部とを有し、前記盤面及び前記役物を覆うように前記遊技盤の前面に配置されるデザインシートを備えたことを特徴としている。
【０００７】
前記役物は、遊技球を受け入れる受け入れ口を備えた入賞装置であって、前記凸部には、前記受け入れ口に対応する位置に開口が形成されているものでもよい。
【０００８】
また、前記デザインシートの周縁部を、前記デザインシートの前面側から押さえつける固定枠を設け、この固定枠を前記遊技盤に取り付けることによって、前記デザインシートを固定してもよい。
【０００９】
さらに、前記遊技釘は、前記デザインシートを貫通するように、前記デザインシートの前面側から前記遊技盤に打ち込まれるとともに、前記遊技盤に打ち込まれた際に、前記デザインシートを前面側から押さえる押さえ部を備えているものでもよい。
【００１０】
また、前記デザインシートに、前記遊技盤に形成された被係合部と係合して位置決めを行うための係合部を設けてもよい。
【発明の効果】
【００１１】
本発明によれば、パチンコ機の機種に応じたデザインの画像がプリントされたデザインシートによって、遊技盤の盤面及び役物の表面を覆うようにしたので、従来のように、役物の外装にペイントを施す必要がない。また、装飾品もデザインシート上に取り付ければよい。このため、デザインシートの下に配置された役物をそのまま異なる機種に流用できる。
【００１２】
また、固定枠によりデザインシートの周縁部を押さえつけるようにすれば、デザインシートを確実に固定できる。さらに、遊技釘によってデザインシートを押さえ付けるようにすれば、より確実にデザインシートを固定できる。また、デザインシートに設けた係合部を遊技盤に形成された被係合部と係合させることによってデザインシートの位置決めを行うようにすれば、デザインシートの位置決めが簡単であり便利である。
【発明を実施するための最良の形態】
【００１３】
図１、図２に示すように、パチンコ機１０は、本体１１と、この本体１１の前面に軸着され開閉自在に保持される前面扉１２とから構成される。前面扉１２の下方には、遊技球を発射する際に回動操作される発射ハンドル１３や、賞球が払い出される受け皿１４が設けられている。
【００１４】
前面扉１２の背後には、デザインシート１５が配置されており、このデザインシート１５には遊技領域１６が形成されている。さらに、デザインシート１６の背後には遊技盤１７（図３参照）が配置されている。遊技盤１７には、通常入賞口（受け入れ口）２０、始動入賞口（受け入れ口）２２、液晶ディスプレイ２４、大入賞口２６、アウト口２８が設けられており、これらがデザインシート１６に形成された開口から露呈されている。
【００１５】
発射ハンドル１３が操作されると、パチンコ機１０の内部に設けられた発射装置が駆動され、発射装置から遊技球が発射される。発射装置から発射されたパチンコ球は、一対のガイドレール３２ａ、３２ｂの間を通って遊技領域１６の上部に打ち出される。この後、遊技球は、遊技領域１６を下方へ向けて流下する。
【００１６】
遊技領域１６に打ち出された遊技球が通常入賞口２０、または、始動入賞口２２に入賞すると、予め設定された個数の遊技球が賞球として払い出される。また、遊技球が始動入賞口２２に入賞すると、当たりまたはハズレを決定する当たり抽選が行われる。当たり抽選の結果は液晶ディスプレイ２４に表示される。当たり抽選に当選すると当たりモードへ移行する。当たりモードでは、遊技球を大入賞口２６へ入賞させることが可能となり、大量の賞球を得ることができる。大入賞口２６、通常入賞口２０、始動入賞口２２のいずれにも入賞しなかった遊技球は、アウト口２８に入って回収される。
【００１７】
図３において、遊技盤１７は、ベニヤ板などから形成され、遊技盤１７には、役物が設けられている。役物として、本実施形態では、通常入賞口２０を備えた入賞装置４０、始動入賞口２２を備えた入賞装置４２、液晶ディスプレイ２４を設けている。また、遊技盤１７には、大入賞口２６を備えたアタッカ４６、アウト口２８を備えた回収通路４８が設けられている。
【００１８】
入賞装置４０は、通常入賞口２０と、入賞装置４０を遊技盤１７に取り付けるための一対のステー５０が形成されたケース５２を備えている。また、このケース５２には、通常入賞口２０に遊技球が入ったことを検知する入賞検知センサと、通常入賞口２０に入った遊技球を遊技盤１７の背面側へ案内する案内通路とが組み込まれている。
【００１９】
入賞装置４２は、始動入賞口２２と、入賞装置４２を遊技盤１７に取り付けるためのステー６０とが形成されたケース６２を備えている。また、ケース６２には、始動入賞口２２に遊技球が入ったことを検知する入賞検知センサ、始動入賞口２２に入った遊技球を遊技盤１７の背面側へ案内する案内通路に加え、始動入賞口２２に遊技球が入りやすい開き位置と始動入賞口２２に遊技球が入り難い閉じ位置との間で開閉する一対の移動部材６４ａ、６４ｂ、並びに、ギアやソレノイドを有し、移動部材６４ａ、６４ｂを駆動する駆動機構が組み込まれている。
【００２０】
液晶ディスプレイ２４は、液晶が封入された液晶パネル７０と、この液晶パネル７０を駆動して各種画像を表示させる駆動回路とがケース７２に収められてユニット化されたものである。ケース７２の前面には開口７４が形成されており、この開口７４から液晶パネル７０が露呈されている。また、ケース７２の左右両側面には液晶ディスプレイ２４を遊技盤１７に取り付けるためのステー７６が設けられている。
【００２１】
アタッカ４６は、前端部に大入賞口２６が形成され、大入賞口２６に入った遊技球を遊技盤１７の背面側に案内する略角筒形状の案内通路８０を備えている。案内通路８０には、アタッカ４６を遊技盤１７に取り付けるためのステー８２が設けられている。また、案内通路８０には、大入賞口２６に遊技球が入ったことを検知する入賞検知センサに加え、大入賞口２６を開放する開き位置と大入賞口２６を閉じる閉じ位置との間で開閉する移動部材８４、並びに、ギアやソレノイドを有し、移動部材８４を駆動する駆動機構が組み込まれている。
【００２２】
回収通路４８は、遊技盤１７に取り付けるためのステー９０を備えている。また、回収通路４８は、略角筒形状に形成されており、前面側開口部がアウト口２８となっており、背面側開口部はパチンコ機１０の下方へ延びる排出通路（図示せず）の入口に連結されている。そして、アウト口２８に入った遊技球は排出通路を介してパチンコ機１０の下方に排出される。
【００２３】
なお、排出通路の入口は複数設けられ、各入口は、前述したアウト口２８に加え、入賞装置４０、４２やアタッカ４６の案内通路の出口部分に連結されている。そして、通常入賞口２０、始動入賞口２２、大入賞口２６、アウト口２８に入った全ての遊技球が排出数路を介して排出される。
【００２４】
遊技盤１７には、入賞装置４０が嵌め込まれる開口１００、入賞装置４２が嵌め込まれる開口１０２、液晶ディスプレイ２４が嵌め込まれる開口１０４、アタッカ４６が嵌め込まれる開口１０６、回収通路４８が嵌め込まれる開口１０８が設けられている。入賞装置４０、４２、液晶ディスプレイ２４、アタッカ４６、アウト口２８は、遊技盤１７の背面側から各開口１００〜１０８に嵌め込まれた後、それぞれのステーが遊技盤１７の背面にネジ止めされることによって遊技盤１７に固定される。
【００２５】
図４に示すように、遊技盤１７の前面には、デザインシート１５が配置される。デザインシート１５は、加熱して軟化させた樹脂性のシートを空気圧により型に密着させる圧空成型法により形成される。デザインシート１５は、中央部が遊技領域１６となっており、遊技領域１６には、パチンコ機１０の機種に応じたデザインの画像がプリントされている。そして、デザインシート１５は、遊技盤及び役物を覆うように遊技盤１７の前面に取り付けられる。
【００２６】
デザインシート１５は、平面部１１２と、凸部１２０、１２２、１２４とを備えている。平面部１１２は、遊技盤１７の盤面に対応して設けられ、デザインシート１５が遊技盤１７に取り付けられると、平面部１１２により遊技盤１７の盤面が覆われる。平面部１１２には、大入賞口２６を露呈させる開口１１２ａ、アウト口２８を露呈させる開口１１２ｂ、並びに、後述する遊技釘１４０が通される複数の開口１１２ｃが形成されている。
【００２７】
他方、凸部１２０は入賞装置４０に対応して設けられ、凸部１２２は入賞装置４２に対応して設けられ、凸部１２４は液晶ディスプレイ２４に対応して設けられている。そして、デザインシート１５が遊技盤１７に取り付けられると、凸部１２０により入賞装置４０が覆われ、凸部１２２により入賞装置４２が覆われ、凸部１２４により液晶ディスプレイ２４の側部が覆われる。
【００２８】
また、凸部１２０には通常入賞口２０を露呈させる開口１２０ａが形成されており、凸部１２２には始動入賞口２２を露呈させるとともに、移動部材６４ａ、６４ｂを移動可能な状態で露呈させる開口１２２ａが形成されている。さらに、凸部１２４には、液晶ディスプレイ２４の画像表示面を露呈させる開口１２４ａが形成されている。
【００２９】
デザインシート１５の背面には、位置決め突起（係合部）１３０が設けられ、遊技盤１７の前面には、位置決め穴（被係合部）１３２が設けられている。位置決め突起１３０及び位置決め穴１３２は、デザインシート１５を遊技盤１７の前面の適正な位置にセットしたときに係合するように構成されており、位置決め突起１３０と位置決め穴１３２とを係合させることで、デザインシート１５の位置決めが完了するようになっている。
【００３０】
図５に示すように、デザインシート１５の位置決めが完了すると、遊技盤１７には、デザインシート１５の前面側から遊技釘１４０と一体レール枠（固定枠）１５０とが取り付けられる。遊技釘１４０は、遊技領域１６を流下する遊技球の動きに変化を付けるために設けられ、デザインシート１５に形成された開口１１２ｃを介して遊技盤１７に打ち込まれる。
【００３１】
図６に示すように、遊技釘１４０には、開口１１２ｃよりも一回り大きく形成された押さえ部１４０ａが形成されている。これにより、遊技盤１７に遊技釘１４０が打ち込まれると、押さえ部１４０ａによりデザインシート１５が遊技盤１７の前面に押さえ付けられる。
【００３２】
図５に戻り、一体レール枠１５０は、遊技領域１６を露呈させる略円形の開口１５２を有する枠本体１５４に、前述したガイドレール３２ａ、３２ｂが組み込まれて一体化されたものである。一体レール枠１５０と遊技盤１７とは、デザインシート１５を挟み込んだ状態で図示しないネジによりネジ止めされて固定される。これにより、デザインシート１５の周縁部が一体レール枠１５０によって、遊技盤１７の前面に押さえ付けられるようになっている。遊技盤１７がネジ止めされた後、一体レール枠１５０はパチンコ機１０の本体１１にネジ止めされる。これにより、遊技盤１７が本体１２に固定される。
【００３３】
以上のように、パチンコ機１０では、遊技盤の盤面及び役物をデザインシートで覆うようにしたので、役物にパチンコ機の機種に応じたペイントや装飾を施す必要がない。このため、役物をそのまま他の機種に流用できる。また、パチンコ機１０では、遊技盤の背後から役物を装着するようにしたので、デザインシートを剥がすことなく遊技盤から役物を取り外すことができ、役物をより手軽に流用できる。さらに、パチンコ機１０では、遊技釘や一体レール枠によりデザインシートを押さえるようにしたので、デザインシートの浮き上がりやずれを防止できる。
【００３４】
なお、本発明は、遊技盤の盤面及び役物をデザインシートで覆えばよいので、細部の構成は適宜変更してよい。例えば、デザインシート上にさらに装飾品を取り付けてもよい。また、例えば、役物の中には、電飾部品を備えたものもある。このような役物を覆う場合、デザインシートの少なくとも一部を光透過性を有する部材から構成し、パチンコ機の前面側から電飾部品が発光する様子を視認できるようにてもよい。
【００３５】
さらに、役物として、入賞装置と液晶ディスプレイをデザインシートにより覆う例で説明をしたが、これ以外の役物をデザインシートで覆うようにしてもよい。また、デザインシートを遊技釘と一体レール枠で押さえ付ける例で説明をしたが、これ以外の方法でデザインシートを固定してもよい。この場合、デザインシートを遊技盤にネジ止めするといったことや、デザインシートを遊技盤に接着するといったことが考えられる。
【図面の簡単な説明】
【００３６】
【図１】パチンコ機の斜視図である。
【図２】前面扉を開放した状態を示すパチンコ機の斜視図である。
【図３】遊技盤に役物が取り付けられる様子を示す説明図である。
【図４】遊技盤にデザインシートが取り付けられる様子を示す説明図である。
【図５】遊技釘と一体レール枠とによりデザインシートが固定される様子を示す説明図である。
【図６】遊技釘の拡大図である。
【符号の説明】
【００３７】
１０  パチンコ機
１５  デザインシート
１７  遊技盤
２０  通常入賞口（受け入れ口）
２２  始動入賞口（受け入れ口）
２４  液晶ディスプレイ
４０  入賞装置（役物）
４２  入賞装置（役物）
１１２  平面部
１２０、１２２、１２４  凸部
１２０ａ、１２２ａ、１２４ａ  開口
１３０  位置決め突起（係合部）
１３２  位置決め穴（被係合部）
１４０  遊技釘
１５０  一体レール枠
【図１】
2009034376.tif 000003
【図２】
2009034376.tif 000004
【図３】
2009034376.tif 000005
【図４】
2009034376.tif 000006
【図５】
2009034376.tif 000007
【図６】
2009034376.tif 000008